(57)【要約】【課題】空気調和機の運転と同時に室内空気の換気を行なえる外気導入装置を備えると共に、外気導入用の補助ファンおよび集塵用のフィルタを室内機本体側に備えてメンテナンス性を高めるようにした空気調和機を提供する。【解決手段】据付板２に設けた連通孔２ａの周縁に、壁孔Ｃを挿通してダクト１４の一端に接続される接続部を備えたダクトフランジ１５を取り付けると共に、前記ダクト１４の他端に開口面積を拡開させる拡開部１７を備えたノズル１８を設け、前記吸気孔６ａと前記後部熱交換器１１との間に、前記ノズル１８および前記ダクト１４により導入された外気を前記後部熱交換器１１へ導くディフューザ２３を設け、同ディフューザ２３または前記ベース６に、もしくは同ベース６と前記据付板２との間に外気導入用の補助ファン２４および、または集塵用のフィルタ１９を設けた。【選択図】  図１
2004278909.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に、前記連通孔に対応する吸気孔を夫々設け、前記連通孔の周縁に、前記壁孔を挿通してダクトの一端に接続される接続部を備えたダクトフランジを取り付けると共に、前記据付板および前記ベースの間に、前記連通孔および前記吸気孔を連通した状態でシールするシール部材を、前記ダクトの他端に開口面積を拡開させる拡開部を備えたノズルを夫々設け、前記吸気孔と前記後部熱交換器との間に、一端に前記吸気孔に接続される接続口を備え、他端に同接続口よりも大径で形成された連通口を備えると共に、同連通口に前記後部熱交換器を構成する伝熱管に係止する係止爪を一体に形成したディフューザを設け、同ディフューザまたは前記ベースに、もしくは同ベースと前記据付板との間に、外気導入用の補助ファンおよび、または集塵用のフィルタを設けてなることを特徴とする空気調和機。
【請求項２】
前記補助ファンが、前記ディフューザ内部に設けられてなることを特徴とする請求項１に記載の空気調和機。
【請求項３】
前記補助ファンが、前記ベースに設けられてなることを特徴とする請求項１に記載の空気調和機。
【請求項４】
前記補助ファンが、前記ベースと前記据付板との間に設けられてなることを特徴とする請求項１に記載の空気調和機。
【請求項５】
前記フィルタが、前記ディフューザの接続口に設けられてなることを特徴とする請求項１に記載の空気調和機。
【請求項６】
前記フィルタが、前記ディフューザの連通口に設けられてなることを特徴とする請求項１に記載の空気調和機。
【請求項７】
前記フィルタが、前記ベースと前記据付板との間に設けられてなることを特徴とする請求項１に記載の空気調和機。
【発明の詳細な説明】
【０００１】
【発明の属する技術分野】
本発明は、空気調和機に係わり、より詳細には、空気調和機の運転と同時に室内空気の換気を行なえる外気導入装置を備えると共に、外気導入用の補助ファンおよび集塵用のフィルタを室内機本体側に備えてメンテナンス性を高めるようにした構造に関する。
【０００２】
【従来の技術】
従来の外気導入装置を備えた空調機器として、室温の制御と本体に外気を導入する制御とを関連づけることで本体の運転中に室内の空気の換気が行なえ、且つ室温の制御が効率的に行なえるものを提供するため、換気用ファンによって本体内部に吸い込まれた外気がクロスフローファンにより本体の空気吹出口から吹き出されるので室内の換気が行なえ、また、クロスフローファンの回転速度や室温と設定温度との差に応じて、換気用ファンの回転速度を制御することで、室温の制御と本体に外気を導入する制御とを関連づけているものがあり、外気を導入する換気ダクトの開口部近傍に換気用ファンを備えた構成が図示されていた（例えば、特許文献１参照。）。
【０００３】
しかしながら、前記換気用ファンは空調機器の本体側に設けられているのではなく、図示されているように、前記換気ダクトの開口部近傍に設けられていることから、メンテナンス時には空調機器の本体が設置された被空調室側から作業を行なうことができず、屋外に出て前記換気用ファンを取り外したり取り付けたりする必要が生じるので不便であった。
【０００４】
【特許文献１】
特開２００２−１１５８８８号公報（第１頁〜第２頁、第２図）
【０００５】
【発明が解決しようとする課題】
本発明においては、上記の問題点に鑑み、空気調和機の運転と同時に室内空気の換気を行なえる外気導入装置を備えると共に、外気導入用の補助ファンおよび集塵用のフィルタを室内機本体側に備えてメンテナンス性を高めるようにした空気調和機を提供することを目的とする。
【０００６】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に、前記連通孔に対応する吸気孔を夫々設け、前記連通孔の周縁に、前記壁孔を挿通してダクトの一端に接続される接続部を備えたダクトフランジを取り付けると共に、前記据付板および前記ベースの間に、前記連通孔および前記吸気孔を連通した状態でシールするシール部材を、前記ダクトの他端に開口面積を拡開させる拡開部を備えたノズルを夫々設け、前記吸気孔と前記後部熱交換器との間に、一端に前記吸気孔に接続される接続口を備え、他端に同接続口よりも大径で形成された連通口を備えると共に、同連通口に前記後部熱交換器を構成する伝熱管に係止する係止爪を一体に形成したディフューザを設け、同ディフューザまたは前記ベースに、もしくは同ベースと前記据付板との間に、外気導入用の補助ファンおよび、または集塵用のフィルタを設けてなる構成となっている。
【０００７】
また、前記補助ファンが、前記ディフューザ内部に設けられてなる構成となっている。
【０００８】
また、前記補助ファンが、前記ベースに設けられてなる構成となっている。
【０００９】
また、前記補助ファンが、前記ベースと前記据付板との間に設けられてなる構成となっている。
【００１０】
また、前記フィルタが、前記ディフューザの接続口に設けられてなる構成となっている。
【００１１】
また、前記フィルタが、前記ディフューザの連通口に設けられてなる構成となっている。
【００１２】
更に、前記フィルタが、前記ベースと前記据付板との間に設けられてなる構成となっている。
【００１３】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部説明図で、（Ａ）は一実施例を示す断面図、（Ｂ）は他の実施例を示す断面図である。
【００１４】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００１５】
前記本体Ａは、背面上部に前記据付板２の係止爪１に係脱可能に係止される係止部３を備え、背面下部には接続配管４を収容する収容部５を備えたベース６と、同ベース６の前部に装着され、上下部に吸込口７と吹出口８とを備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００１６】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部を備えたダクトフランジ１５がねじ締めされて取り付けられている。
【００１７】
同時に、前記据付板２および前記ベース６の間には、前記連通孔２ａおよび前記吸気孔６ａを連通した状態でシールするシール部材１６が介装されるように構成されている。
【００１８】
また、前記ダクト１４の他端には、開口面積を拡開させる拡開部１７を備えたノズル１８が設けられており、これによって同ノズル１８から外気を効果的に吸入できるようになっている。
【００１９】
前記吸気孔６ａと前記後部熱交換器１１との間には、一端が前記吸気孔６ａに接続される接続口２０からなり、他端が同接続口２０よりも大径で形成された連通口２１からなり、同連通口２１に前記後部熱交換器１１の冷媒管１１ａ  に係止される係止爪２２を一体に形成し、前方を開放した密閉空間をなすディフューザ２３が設けられた構成になっている。
【００２０】
これにより、前記送風ファン１３の負圧によって前記ノズル１８から吸入し、前記ダクト１４を経て導き入れた外気を、前記ディフューザ２３から前記後部熱交換器１１へ効率よく流通させることができるようになっている。
【００２１】
そして、前記送風ファン１３の負圧した場合であっても外気を強力に導入できるようにするため、また、外気中に含まれた塵埃を除去できるようにするため、前記ディフューザ２３または前記ベース６に、もしくは同ベース６と前記据付板２との間に外気導入用の補助ファン２４を、また、集塵用のフィルタ１９を夫々設けてなる構成になっており、これによって、これら補助ファン２４およびフィルタ１９のメンテナンスを屋外に出ることなく被空調室側から行なえるようになっている。
【００２２】
以上の構成により、次にその動作について説明する。
図１（Ａ）および図１（Ｂ）で示すように、前記ノズル１８から前記ダクト１４を経て導入された外気は、前記連通孔２ａおよび前記吸気孔６ａを流通させて前記ディフューザ２３に導かれる。
【００２３】
前記ディフューザ２３は、前記後部熱交換器１１を臨ませて、前方のみ開放された密閉構造になっているので、同後部熱交換器１１に向け外気を効率よく導出させて熱交換できる。
【００２４】
なお、前記補助ファン２４および前記フィルタ１９のメンテナンスを、屋外に出ることなく被空調室側から行なえるようにするため、一実施例として図１（Ｂ）と、図２（Ａ）とで示すように、前記補助ファン２４が前記ダクトフランジ１５を臨ませた前記ディフューザ２３の内部に設けられると共に、前記フィルタ１９が前記ベース６、または同ベース６と前記据付板２との間の何れかに設けられるようになっている。
【００２５】
または、他の実施例として図１（Ｂ）と、図２（Ｂ）とで示すように、前記補助ファン２４が前記ダクトフランジ１５を臨ませた前記ベース６、または同ベース６と前記据付板２との間の何れかに設けられると共に、前記フィルタ１９が、前記ディフューザ２３の連通口２１に設けられるようになっている。
【００２６】
これらによって、前記ノズル１８から吸入した外気を前記ダクト１４を経て前記ディフューザ２３に向けて強力に導入できるようになると共に、導入された外気中の塵埃を前記フィルタ１９で除去できるようになる。
【００２７】
そして、前記補助ファン２４および前記フィルタ１９のメンテナンスを、上記説明のとおり、屋外に出ることなく被空調室側から行なえるので便利である。
【００２８】
【発明の効果】
以上説明したように、本発明によれば、空気調和機の運転と同時に室内空気の換気を行なえる外気導入装置を備えると共に、外気導入用の補助ファンおよび集塵用のフィルタを室内機本体側に備えてメンテナンス性を高めるようにした空気調和機となる。
【図面の簡単な説明】
【図１】本発明による空気調和機の説明図で、（Ａ）は断面図であり、（Ｂ）は要部断面である。
【図２】本発明による空気調和機の要部説明図で、（Ａ）は一実施例を示す断面図であり、（Ｂ）は他の実施例を示す断面図である。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  冷媒管
１２  熱交換器
１３  送風ファン
１４  ダクト
１５  ダクトフランジ
１６  シール部材
１７  拡開部
１８  ノズル
１９  フィルタ
２０  接続口
２１  連通口
２２  係止爪
２３  ディフューザ
２４  補助ファン
Ａ  本体
Ｂ  壁面
Ｃ  壁孔
【図１】
2004278909.tif 000003
【図２】
2004278909.tif 000004